(57)【要約】【課題】パネルの正面側から止具が視認されないようにすることで、意匠性を向上させることができる建築用ルーバーパネルを提供する。【解決手段】正面部１１の両端から略直角方向に延設された側面部１４と、側面部１４の端部付近の内側に設けられた略Ｌ字形の突出片１５と、を備え、前記側面部１４と前記突出片１５とによって背面方向に開口するレール溝１６が形成され、前記レール溝１６を使用して建築用ルーバーパネル１０を建物躯体３０に取り付けることができるようにした。【選択図】図７
2015017448.tif 000002
【特許請求の範囲】
【請求項１】
背面側の取付部を使用して建物躯体に取り付けられる建築用ルーバーパネルであって、
複数の長孔を平行に形成した正面部と、
前記正面部の両端から略直角方向に延設された側面部と、
前記側面部の端部付近の内側に設けられた略Ｌ字形の突出片と、
を備え、
前記側面部と前記突出片とによって背面方向に開口するレール溝が形成され、
前記レール溝が前記取付部を構成していることを特徴とする、建築用ルーバーパネル。
【請求項２】
前記長孔は、正面から見たときに前記突出片に重ならない幅で形成されていることを特徴とする、請求項１記載の建築用ルーバーパネル。
【請求項３】
前記レール溝にボルト部材の頭部を挿入し、前記ボルト部材によって建物躯体側に取り付けたことを特徴とする、請求項１又は２記載の建築用ルーバーパネル。
【請求項４】
前記ボルト部材の頭部に緩衝材を設けたことを特徴とする、請求項３記載の建築用ルーバーパネル。
【請求項５】
前記長孔を金型加工で形成したことを特徴とする、請求項１〜４のいずれかに記載の建築用ルーバーパネル。
【請求項６】
前記長孔は、直線部と円弧部とからなり、
前記金型加工は、バーリング加工であり、
前記バーリング加工によって内方へ切り起こされた前記長孔の周縁部は、前記直線部よりも前記円弧部の方が小さく切り起こされていることを特徴とする、請求項５記載の建築用ルーバーパネル。
【発明の詳細な説明】
【技術分野】
【０００１】
この発明は、背面側の取付部を使用して建物躯体に取り付けられる建築用ルーバーパネルに関する。
【背景技術】
【０００２】
従来、建物の外壁や外階段、屋上、サッシの前等に建築用ルーバーパネルを取り付けて、化粧材、日除け材、目隠し材とし、通風性、遮光性、遮蔽性等を高めることが行われている。こうした建築用ルーバーパネルは、一般的には下地材を介して建物躯体に取り付けられる。
【０００３】
この種のパネルとして、例えば特許文献１や特許文献２には、複数の長孔を平行に形成した上面板の左右両側端に、夫々同じ方向に屈曲したＬ形の側辺を垂直に一体に設けた構造が開示されている。これらのパネルは、側辺の端部をボルトなどで固定することで建物躯体に取り付けられるようになっている。
【先行技術文献】
【特許文献】
【０００４】
【特許文献１】意匠公報第１２６５４８４号公報
【特許文献２】特開平８−２１０２５号公報
【発明の概要】
【発明が解決しようとする課題】
【０００５】
しかし、上記した従来の構造では、長孔の奥にボルトなどの止具が露出しており、パネルの正面側から見たときに止具が視認できてしまうので、美観を損ない、意匠性が悪いという問題があった。
【０００６】
そこで、本発明は、パネルの正面側から止具が視認されないようにすることで、意匠性を向上させることができる建築用ルーバーパネルを提供することを課題とする。
【課題を解決するための手段】
【０００７】
本発明は、上記した課題を解決するためになされたものであり、以下を特徴とする。
【０００８】
（請求項１）
請求項１に記載の建築用ルーバーパネルは、背面側の取付部を使用して建物躯体に取り付けられる建築用ルーバーパネルであって、複数の長孔を平行に形成した正面部と、前記正面部の両端から略直角方向に延設された側面部と、前記側面部の端部付近の内側に設けられた略Ｌ字形の突出片と、を備え、前記側面部と前記突出片とによって背面方向に開口するレール溝が形成され、前記レール溝が前記取付部を構成していることを特徴とする。
【０００９】
（請求項２）
請求項２に記載の発明は、上記した請求項１記載の発明の特徴点に加え、以下の点を特徴とする。
すなわち、前記長孔は、正面から見たときに前記突出片に重ならない幅で形成されていることを特徴とする。
【００１０】
（請求項３）
請求項３に記載の発明は、上記した請求項１又は２記載の発明の特徴点に加え、以下の点を特徴とする。
すなわち、前記レール溝にボルト部材の頭部を挿入し、前記ボルト部材によって建物躯体側に取り付けたことを特徴とする。
【００１１】
（請求項４）
請求項４に記載の発明は、上記した請求項３記載の発明の特徴点に加え、以下の点を特徴とする。
すなわち、前記ボルト部材の頭部に緩衝材を設けたことを特徴とする。
【００１２】
（請求項５）
請求項５に記載の発明は、上記した請求項１〜４のいずれかに記載の発明の特徴点に加え、以下の点を特徴とする。
すなわち、前記長孔を金型加工で形成したことを特徴とする。
【００１３】
（請求項６）
請求項６に記載の発明は、上記した請求項５記載の発明の特徴点に加え、以下の点を特徴とする。
すなわち、前記長孔は、直線部と円弧部とからなり、前記金型加工はバーリング加工であり、前記バーリング加工によって内方へ切り起こされた前記長孔の周縁部は、前記直線部よりも前記円弧部の方が小さく切り起こされていることを特徴とする。
【発明の効果】
【００１４】
請求項１に記載の発明は上記の通りであり、正面部の両端から略直角方向に延設された側面部と、側面部の端部付近の内側に設けられた略Ｌ字形の突出片と、を備え、前記側面部と前記突出片とによって背面方向に開口するレール溝が形成され、前記レール溝を使用して建築用ルーバーパネルを建物躯体に取り付けることができるようになっている。すなわち、取付部（レール溝）が正面方向から視認できないので、パネルの正面側から止具が視認されないようにすることができ、意匠性を向上させることができる。
【００１５】
また、請求項２に記載の発明は上記の通りであり、前記長孔は、正面から見たときに前記突出片に重ならない幅で形成されているので、長孔の奥に形成された突出片が視認しづらくなっており、意匠性が良い。
【００１６】
また、請求項３に記載の発明は上記の通りであり、前記レール溝にボルト部材の頭部を挿入して建物躯体に取り付けたので、任意の位置にボルト部材を固定することができ、様々な施行条件に対応することができる。
【００１７】
また、請求項４に記載の発明は上記の通りであり、前記ボルト部材の頭部に緩衝材を設けたので、レール溝内の遊びをなくすことができるので、レール溝の端部からボルト部材の頭部が抜け落ちることを防止できる。また、レール溝内でボルト部材を移動させる場合には、緩衝材が設けられていることによってスムーズにスライドさせることができる。
【００１８】
また、請求項５に記載の発明は上記の通りであり、前記長孔を金型加工で１度に形成したので、的確且つ迅速に複数の長孔を製作できる。
【００１９】
また、請求項６に記載の発明は上記の通りであり、前記長孔は、直線部と円弧部とからなり、前記金型加工はバーリング加工であり、前記バーリング加工によって内方へ切り起こされた前記長孔の周縁部は、前記直線部よりも前記円弧部の方が小さく切り起こされているので、円弧部が大きく引き延ばされることがないので、バーリング加工による割れやひびを防ぐことができる。
【図面の簡単な説明】
【００２０】
【図１】建築用ルーバーパネルの施工例を示す図である。
【図２】（ａ）図１の建築用ルーバーパネルをＡ方向から見た図（平面図）、（ｂ）図１の建築用ルーバーパネルをＢ方向から見た図（正面図）である。
【図３】建築用ルーバーパネルの一部拡大斜視図である。
【図４】建築用ルーバーパネルの（ａ）一部拡大正面図、（ｂ）Ｘ−Ｘ断面図である。
【図５】バーリング加工前の建築用ルーバーパネルの一部拡大斜視図である。
【図６】バーリング加工前の建築用ルーバーパネルの（ａ）一部拡大正面図、（ｂ）Ｙ−Ｙ断面図である。
【図７】建築用ルーバーパネルを下地材に固定する様子を示す図である。
【図８】建築用ルーバーパネルの別の施工例を示す図である。
【発明を実施するための形態】
【００２１】
本発明の実施形態について、図を参照しながら説明する。
本実施形態に係る建築用ルーバーパネル１０は、化粧材、日除け材、目隠し材などとして、または、通風、遮光性、遮蔽性等を高めるために、建物の外壁や外階段、屋上、サッシの前等に取り付けられるものであり、図１及び図２に示すような長尺部材である。この建築用ルーバーパネル１０は、例えば図１及び図２に示すように、建物躯体３０に下地材３１を介して垂直に取り付けられる。なお、建築用ルーバーパネル１０の取り付け方法としては垂直方向に限らず、図８に示すように水平方向であってもよい。そして、この複数の建築用ルーバーパネル１０は、隣り合う建築用ルーバーパネル１０と平行となるように所定間隔を設けて列設されることで、壁面などを覆うように取り付け可能となっている。
【００２２】
この建築用ルーバーパネル１０は、図３及び図４に示すように、正面部１１と、前記正面部１１の両端から略直角方向に延設された側面部１４と、前記側面部１４の端部付近の内側に設けられた略Ｌ字形の突出片１５と、を備えている。
【００２３】
正面部１１は、建物躯体３０に建築用ルーバーパネル１０を取り付けたときに、正面に臨む面を構成する部分である。この正面部１１には複数の長孔１２が平行に形成されている。正面部１１に形成された長孔１２の周縁は、直線部１２ａと円弧部１２ｂとからなり、図４（ａ）に示すように、正面視で長方形の両端に半円形を組み合わせた略角丸長方形を形成している。
【００２４】
なお、この長孔１２は金型でバーリング加工される。具体的には、まず、図５及び図６に示すような下穴１３を穿設した後に、金型を使用するバーリング加工によって複数の下穴１３の周縁部を内方へ切り起し、図３及び図４に示すような長孔１２を形成する。このように金型を使用して長孔１２をバーリング加工で１度に形成することで、的確且つ迅速に複数の長孔１２を製作できるようになっている。
【００２５】
上記した下穴１３は、図６に示すように、長孔１２の直線部１２ａに対応する位置に形成された中央部１３ａ及び斜部１３ｂと、長孔１２の円弧部１２ｂに対応する位置に形成された半円部１３ｃとを組み合わせた形状となっている。中央部１３ａと半円部１３ｃとの間に斜部１３ｂを設けることで、下穴１３の形状は、両端部が拡開した細長形状となっている。
【００２６】
このような下穴１３に対してバーリング加工を施すことで、バーリング加工によって下穴１３の周縁部を内方へ切り起したときに、直線部１２ａの部分よりも円弧部１２ｂの部分の方が小さく切り起こされるようになっている。具体的には、建築用ルーバーパネル１０の内側に切り起こされた長孔１２の周縁部は、図３及び図４（ｂ）に示すように、下穴１３の中央部１３ａが切り起こされた中央部切り起こし１２ｃと、下穴１３の斜部１３ｂが切り起こされた斜部切り起こし１２ｄと、下穴１３の半円部１３ｃが切り起こされた半円部切り起こし１２ｅと、からなる。そして、斜部切り起こし１２ｄが段差を形成することで、中央部切り起こし１２ｃよりも半円部切り起こし１２ｅの方が小さく切り起こされている。
【００２７】
このように中央部切り起こし１２ｃよりも半円部切り起こし１２ｅの方が小さく切り起こされることで、円弧部１２ｂが大きく引き延ばされることがないので、バーリング加工による割れやひびを防ぐことができる。
【００２８】
側面部１４は、正面部１１の短手方向（巾方向）の両端から略直角方向に延設されている。この側面部１４は、正面部１１と相俟って、図４（ｂ）に示すような断面略コ字状を形成している。
【００２９】
突出片１５は、側面部１４の端部付近において内側に突出して設けられた略Ｌ字形の部位である。この突出片１５が設けられることで、側面部１４と突出片１５とによってコ字状のレール溝１６が形成されている。このレール溝１６は、背面方向に開口しており、建築用ルーバーパネル１０を建物躯体３０に取り付けるための背面側の取付部を形成している。
【００３０】
この突出片１５は、図２（ｂ）に示すように、正面から見たときに長孔１２の奥に見えない出量で内側に突出形成されている。言い換えると、長孔１２は、正面から見たときに突出片１５に重ならない幅で形成されている。このため、長孔１２の奥に形成された突出片１５が視認しづらくなっており、取り付けのための部位が目立たないので、意匠性が向上している。
【００３１】
なお、上記した側面部１４及び突出片１５は、互いに背面方向に突出している。そして、図４（ｂ）に示すように、側面部１４及び突出片１５の端部は、互いに対向する方向に略直角に曲折されて係合縁部１４ａ、１５ａを形成している。この係合縁部１４ａ、１５ａが形成されることで、レール溝１６にボルト部材２０の頭部２１を挿入したときに、ボルト部材２０の頭部２１がレール溝１６から抜けないように係合するようになっている。
【００３２】
このレール溝１６を使用して建築用ルーバーパネル１０を取り付ける際には、図７に示すように、レール溝１６にボルト部材２０の頭部２１を挿入し、ボルト部材２０の軸部２２を下地材３１の固定部３１ａに貫通させる。そして、ボルト部材２０にナット２３を締め込むことで、ボルト部材２０とナット２３とで下地材３１を挟み込んで保持する。このようにボルト部材２０を取り付けることで、建築用ルーバーパネル１０を下地材３１に取り付けることができる。
【００３３】
このとき、ボルト部材２０はレール溝１６に沿って摺動可能であるため、レール溝１６の端部からボルト部材２０の頭部２１を挿入して、固定位置（例えば下地材３１の固定部３１ａが形成された位置）まで移動させることができる。なお、上記したボルト部材２０の頭部２１は、レール溝１６に沿って摺動させるために、図７に示すような四角柱状で形成されている。
【００３４】
また、上記したボルト部材２０の頭部２１の上面には、図７に示すように、緩衝材２４が設けられている。緩衝材２４は、例えば合成樹脂やゴム、スポンジなどの弾性変形可能な材料で形成されており、レール溝１６にボルト部材２０の頭部２１を挿入したときに弾性変形（圧縮変形）されて、レール溝１６とボルト部材２０の頭部２１との間の間隙を埋めるようになっている。この緩衝材２４を設けることで、レール溝１６内の遊びをなくすことができるので、レール溝１６の端部からボルト部材２０の頭部２１が抜け落ちることを防止できる。また、レール溝１６内でボルト部材２０を移動させる場合には、緩衝材２４が設けられていることによってスムーズにスライドさせることができる。
【００３５】
以上説明したように、本実施形態によれば、正面部１１の両端から略直角方向に延設された側面部１４と、側面部１４の端部付近の内側に設けられた略Ｌ字形の突出片１５と、を備え、前記側面部１４と前記突出片１５とによって背面方向に開口するレール溝１６が形成され、前記レール溝１６を使用して建築用ルーバーパネル１０を建物躯体３０に取り付けることができるようになっている。すなわち、取付部（レール溝１６）が正面方向から視認できないので、パネルの正面側から止具が視認されないようにすることができ、意匠性を向上させることができる。
【００３６】
また、前記レール溝１６にボルト部材２０の頭部２１を挿入し、建物躯体３０に取り付けたので、任意の位置にボルト部材２０を固定することができ、様々な施行条件に対応することができる。
【００３７】
また、前記ボルト部材２０の頭部２１に緩衝材２４を設けたので、レール溝１６内の遊びをなくすことができるので、レール溝１６の端部からボルト部材２０の頭部２１が抜け落ちることを防止できる。また、レール溝１６内でボルト部材２０を移動させる場合には、緩衝材２４が設けられていることによってボルト部材２０が傾かず、スムーズにスライドさせることができる。
また、前記長孔１２を金型を使用するバーリング加工で１度に形成したので、的確且つ迅速に複数の長孔１２を製作できる。
【００３８】
また、前記長孔１２は、直線部１２ａと円弧部１２ｂとからなり、バーリング加工によって内方へ切り起こされた前記長孔１２の周縁部は、前記直線部１２ａよりも前記円弧部１２ｂの方が小さく切り起こされているので、円弧部１２ｂが大きく引き延ばされることがないので、バーリング加工による割れやひびを防ぐことができる。
【００３９】
なお、特に図示しないが、建築用ルーバーパネル１０の長手方向の端部には小口フタを取り付けてもよい。小口フタを取り付ければ、意匠性を向上できるとともに、レール溝１６の端部を小口フタで塞ぐことができるので、ボルト部材２０の脱落防止や、雨水・埃等の侵入を防ぐことができる。
【符号の説明】
【００４０】
１０  建築用ルーバーパネル
１１  正面部
１２  長孔
１２ａ  直線部
１２ｂ  円弧部
１２ｃ  中央部切り起こし
１２ｄ  斜部切り起こし
１２ｅ  半円部切り起こし
１３  下穴
１３ａ  中央部
１３ｂ  斜部
１３ｃ  半円部
１４  側面部
１４ａ  係合縁部
１５  突出片
１５ａ  係合縁部
１６  レール溝（取付部）
２０  ボルト部材
２１  頭部
２２  軸部
２３  ナット
２４  緩衝材
３０  建物躯体
３１  下地材
３１ａ  固定部
【図１】
2015017448.tif 000003
【図２】
2015017448.tif 000004
【図３】
2015017448.tif 000005
【図４】
2015017448.tif 000006
【図５】
2015017448.tif 000007
【図６】
2015017448.tif 000008
【図７】
2015017448.tif 000009
【図８】
2015017448.tif 000010